【事件の表示】
　特許第３３９９４９６号「情報供給方法と情報供給システム及び情報読出装置」の請求項１、２、４、５、７、８に係る特許に対する特許異議の申立てについて、次のとおり決定する。
【結　論】
　特許第３３９９４９６号の請求項１乃至２、４乃至５、７乃至８に係る特許を維持する。
【理　由】
（本件発明）
　本件特許第３３９９４９６号の請求項１乃至９に係るそれぞれの発明（平成８年７月２日出願、平成１５年２月２１日設定登録）は、特許明細書及び図面の記載からみて、その特許請求の範囲に記載された次のとおりのものである。
「【請求項１】　一つのデータ入力部に入力されたデータを書込可能な書込領域を備えた記憶手段を用い、
  前記一つのデータ入力部に入力された一連に再生される映像情報又は音声情報の一つに対応する一連のデータを、前記書込領域に端末への送信用のデータとして読出可能な記憶データとして記憶されるように書き加えながら、その書込領域に書き込まれている前記記憶データを、その記憶データが書き込まれている書込領域中の任意の複数の位置の各々から端末への送信用のデータとして読み出して、複数の端末に送信する情報供給方法。
【請求項２】  一つのデータ入力部に入力されたデータを書込可能な書込領域を備えた記憶手段を用い、
  前記一つのデータ入力部に入力されたデータを前記書込領域に書き込む書込み用のタイムスロットと、前記書込領域に書き込まれているデータを読み出す読出し用のタイムスロットの複数とを時分割で周期的に設けて、
　前記書込み用のタイムスロットにおいて前記一つのデータ入力部に入力されたデータを前記書込領域に書き込む動作を周期的に繰り返すことにより、前記一つのデータ入力部に入力された一連に再生される映像情報又は音声情報の一つに対応する一連のデータを、前記書込領域に端末への送信用のデータとして読出可能な記憶データとして記憶されるように書き加えながら、
　前記読出し用のタイムスロットの各々において、前記書込領域に書き込まれているデータをその書込領域中の前記読出し用のタイムスロット毎に対応する位置から読み出す動作を周期的に繰り返すことにより、その書込領域に書き込まれている前記記憶データを、その記憶データが書き込まれている書込領域中の任意の複数の位置の各々から端末への送信用のデータとして読み出して、複数の端末に送信する情報供給方法。
【請求項３】　前記記憶手段として前記書込領域を書換え可能に備えた記憶手段を用い、
　前記書込領域に前記一連のデータのうちの一定量を書き込んだ後は、その書込領域に書き込まれている前記記憶データのうちの最先に書き加えたデータを、最新に書き加えたデータに後続して書き加えるデータに書き換えて、前記一連のデータを前記書込領域に端末への送信用のデータとして読出可能な記憶データとして記憶されるように書き加える請求項１又は２記載の情報供給方法。
【請求項４】　一つのデータ入力部に入力されたデータを書込可能な書込領域を備えた記憶手段を設け、
  前記一つのデータ入力部に入力された一連に再生される映像情報又は音声情報の一つに対応する一連のデータを、前記書込領域に端末への送信用のデータとして読出可能な記憶データとして記憶されるように書き加えながら、その書込領域に書き込まれている前記記憶データを、その記憶データが書き込まれている書込領域中の任意の複数の位置の各々から端末への送信用のデータとして読み出して、複数の端末に送信する情報供給システム。
【請求項５】　一つのデータ入力部に入力されたデータを書込可能な書込領域を備えた記憶手段を設け、
　前記一つのデータ入力部に入力されたデータを前記書込領域に書き込む書込み用のタイムスロットと、前記書込領域に書き込まれているデータを読み出す読出し用のタイムスロットの複数とを時分割で周期的に設けて、
　前記書込み用のタイムスロットにおいて前記一つのデータ入力部に入力されたデータを前記書込領域に書き込む動作を周期的に繰り返すことにより、前記一つのデータ入力部に入力された一連に再生される映像情報又は音声情報の一つに対応する一連のデータを、前記書込領域に端末への送信用のデータとして読出可能な記憶データとして記憶されるように書き加えながら、
　前記読出し用のタイムスロットの各々において、前記書込領域に書き込まれているデータをその書込領域中の前記読出し用のタイムスロット毎に対応する位置から読み出す動作を周期的に繰り返すことにより、その書込領域に書き込まれている前記記憶データを、その記憶データが書き込まれている書込領域中の任意の複数の位置の各々から端末への送信用のデータとして読み出して、複数の端末に送信する情報供給システム。
【請求項６】　前記記憶手段として前記書込領域を書換え可能に備えた記憶手段を設け、
　前記記憶手段が、前記書込領域に前記一連のデータのうちの一定量を書き込んだ後は、その書込領域に書き込まれている前記記憶データのうちの最先に書き加えたデータを、最新に書き加えたデータに後続して書き加えるデータに書き換えて、前記一連のデータを前記書込領域に端末への送信用のデータとして読出可能な記憶データとして記憶されるように書き加える機能を備えている請求項４又は５記載の情報供給システム。
【請求項７】　一つのデータ入力部に入力されたデータを書込可能な書込領域を備えた記憶手段を、
  前記一つのデータ入力部に入力された一連に再生される映像情報又は音声情報の一つに対応する一連のデータを、前記書込領域に端末への送信用のデータとして読出可能な記憶データとして記憶されるように書き加えながら、その書込領域に書き込まれている前記記憶データを、その記憶データが書き込まれている書込領域中の任意の複数の位置の各々から端末への送信用のデータとして読み出し可能に設けてある情報読出装置。
【請求項８】　一つのデータ入力部に入力されたデータを書込可能な書込領域を備えた記憶手段を、
　前記一つのデータ入力部に入力されたデータを前記書込領域に書き込む書込み用のタイムスロットと、前記書込領域に書き込まれているデータを読み出す読出し用のタイムスロットの複数とを時分割で周期的に設けて、
　前記書込み用のタイムスロットにおいて前記一つのデータ入力部に入力されたデータを前記書込領域に書き込む動作を周期的に繰り返すことにより、前記一つのデータ入力部に入力された一連に再生される映像情報又は音声情報の一つに対応する一連のデータを、前記書込領域に端末への送信用のデータとして読出可能な記憶データとして記憶されるように書き加えながら、
　前記読出し用のタイムスロットの各々において、前記書込領域に書き込まれているデータをその書込領域中の前記読出し用のタイムスロット毎に対応する位置から読み出す動作を周期的に繰り返すことにより、その書込領域に書き込まれている前記記憶データを、その記憶データが書き込まれている書込領域中の任意の複数の位置の各々から端末への送信用のデータとして読み出し可能に設けてある情報読出装置。
【請求項９】　前記書込領域を書換え可能に設け、
　前記記憶手段が、前記書込領域に前記一連のデータのうちの一定量を書き込んだ後は、その書込領域に書き込まれている前記記憶データのうちの最先に書き加えたデータを、最新に書き加えたデータに後続して書き加えるデータに書き換えて、前記一連のデータを前記書込領域に端末への送信用のデータとして読出可能な記憶データとして記憶されるように書き加える機能を備えている請求項７又は８記載の情報読出装置。」
（特許異議の申立ての理由）
 特許異議申立人比嘉美智子は、証拠として甲第１号証（Hideki Sakamoto, Akira Uemori, Kazutoshi Nishimura ″Video Server Architecture Supporting Real-Time Input and Immediate Playback″，Reprint from the Proceedings of the Multimedia Japan 96 , Information Prcessing Society of Japan (IPSJ), pp.224-231)、甲第２号証（齋藤聡、伊藤寿浩　“小規模ビデオサーバーの開発と「放送番組オンデマンド」への応用”、ＮＨＫ技研だより、日本放送協会放送技術研究所、1995.4月、pp.13-20）、甲第３号証（甲第１号証の参考訳文）を提出し、本件請求項１乃至２、請求項４乃至５、請求項７乃至８に係るそれぞれの発明は、甲第１号証記載の発明、甲第２号証記載の発明と同一であり、あるいは少なくとも甲第１号証の発明、甲第２号証記載の発明に基づき当業者が容易に発明をすることができたものであるから、本件請求項１乃至２、請求項４乃至５、請求項７乃至８に係るそれぞれの発明の特許は、特許法第２９条第１項第３号あるいは特許法第２９条第２号の規定に違反して特許されたものであるから、取り消すべき旨主張している。
（甲第１号証記載の発明）
　甲第１号証には、実時間入力即時再生が可能であり、ライブオンデマンド（ライブのスポーツ中継のシーンをすぐに再生）とかディレイド放送TV（放送中のTV番組をすぐに過去に遡って再生）といったLOD型のサービス提供に利用可能なシステムを提供するとし、そのための具体的構成として、５つのバッファ(W1,R1,W2,R2,R3)を備え、タイムスロット１〜５のタイミングで、バッファW1,R1,W2,R2,R3のそれぞれとディスク装置とが順次接続されるよう構成されたビデオサーバが記載されており、このビデオサーバでは、ビデオストリームをビデオセグメント単位に細分化してディスク装置に書き込み、読み出すようにしている。また、甲第１号証には、VTR相当の特殊再生機能として、ジャンプ機能が行えることが記載されている。
　甲第２号証には、ディスクに対して映像データを蓄積しながら同時に参照を行なえるビデオサーバが記載されており、また、ジャンプ再生が行えることが記載されている。
（判断）
　請求項１に係る発明について
　甲第１号証のシステムによる実時間入力即時再生は、あるタイムスロットでのビデオセグメントのディスク装置への書き込みと、その後の他のタイムスロットでのそのビデオセグメントのディスク装置から読み出しを繰り返すことによって実現されているものであって、本件の請求項１に係る発明と一見似ているようにも見えるが、ビデオセグメントをディスク装置に書き加えながら、そのビデオセグメントをディスク装置から読み出すようにしているものではないから、本件の請求項１に係る発明の特徴である、一連に再生される映像情報又は音声情報の一つに対応する一連のデータを、書込領域に書き加えながら、その記憶データが書き込まれている書込領域から端末への送信用のデータとして読み出すとする点とは、技術的に異なるものである。
　また、甲第１号証には、ジャンプ機能により番組内の任意の再生時点に移動できるとの記述があるが、この再生時点とは、過去のシーンに遡った時点（記憶位置）のことであって、本件の請求項１に係る発明の、書き加えが行われている書込領域中の任意の位置とは異なるうえ、甲第１号証には、VTR相当の特殊機能としてのジャンプ機能が、ディスク装置を用いたビデオサーバで、どのような技術的仕組みにより提供されているのか記載されていないのであるから、甲第１号証の記載をみても、本件の請求項１に係る発明の特徴である、書込領域中の任意の複数の位置の各々から端末への送信用のデータとして読み出す点が容易に導き出せるとすることはできない。
　甲第２号証と本件の請求項１に係る発明とを対比、検討しても、上記と同様である。
　したがって、請求項１に係る発明が、甲第１号証、甲第２号証の発明と同一であるとすることも、また、甲第１号証、甲第２号証の発明に基づいて当業者が容易に発明をすることができたすることはできない。
　請求項２に係る発明について
　請求項２に係る発明は、請求項１に係る発明に書き込み用のタイムスロット、読み出し用のタイムスロットの要件を限定的に付加したものであるから、請求項１に係る発明に関して述べたと同じ理由で、甲第１号証、甲第２号証の発明と同一であるとすることも、また、甲第１号証、甲第２号証の発明に基づいて当業者が容易に発明をすることができたすることはできない。
　請求項４乃至５、請求項７乃至８に係るそれぞれの発明について
　請求項４及び請求項７は、請求項１と同様な構成を発明の構成要件としており、また、請求項５及び請求項８は、請求項２と同様な構成を発明の構成要件としているから、請求項４乃至５、請求項７乃至８に係るそれぞれの発明は、請求項１に係る発明に関して述べたと同じ理由で、甲第１号証、甲第２号証の発明と同一であるとすることも、また、甲第１号証、甲第２号証の発明に基づいて当業者が容易に発明をすることができたすることはできない。
（むすび）
　以上、特許異議申立ての理由及び証拠によって、本件の請求項１乃至２、請求項４乃至５、請求項７乃至８に係る各発明の特許を取り消すことはできない。
　
　また、他に本件の請求項１乃至２、請求項４乃至５、請求項７乃至８に係る各発明の特許を取り消すべき理由を発見しない。           
【異議決定日】
平成１６年４月５日（２００４．４．５）